(57)【要約】【課題】体内脂肪検査装置を装置化して携帯通信装置に組合せた装置の開発。【解決手段】内蔵、外部からの挿し込み、伝送線で接続、または短距離無線送信などの方式で、装置化された体内脂肪検査装置を携帯電話、ＰＤＡ、ミニコンピュータ、ノートブック・コンピュータなどと組合わせ、随時に被検査者の体内脂肪信号を探知し、携帯通信装置に表示し、記憶し、警報を発したり、さらに遠隔の医療機構にも送信できる、携帯通信装置に組合された体内脂肪検査装置を提供する。【選択図】図１
0003135336.tif 000002
【実用新案登録請求の範囲】
【請求項１】
体内脂肪の検査装置であって、
水には電導性があるが、脂肪には電導性がないという、生化学における電気抵抗原理を利用し、人体に微弱な電流を通して両手の間の抵抗値を測定し、還元分析して人体内の脂肪含有率を算定することを特徴とする、
携帯通信装置に組合された体内脂肪検査装置。
【請求項２】
体内脂肪の検査装置であって、
水には電導性があるが、脂肪には電導性がないという、生化学における電気抵抗原理を利用し、人体に微弱な電流を通して両手の間の抵抗値を測定し、還元分析して人体内の脂肪含有率を算定する、体内脂肪検査装置を携帯通信装置に外部から挿しこむことを特徴とする、
携帯通信装置に組合された体内脂肪検査装置。
【請求項３】
体内脂肪の検査装置であって、
水には電導性があるが、脂肪には電導性がないという、生化学における電気抵抗原理を利用し、人体に微弱な電流を通して両手の間の抵抗値を測定し、還元分析して人体内の脂肪含有率を算定する、体内脂肪検査装置を伝送線で携帯通信装置に接続することを特徴とする、
携帯通信装置に組合された体内脂肪検査装置。
【請求項４】
体内脂肪の検査装置であって、
水には電導性があるが、脂肪には電導性がないという、生化学における電気抵抗原理を利用し、人体に微弱な電流を通して両手の間の抵抗値を測定し、還元分析して人体内の脂肪含有率を算定する、体内脂肪検査装置を無線送信方式で携帯通信装置に連結することを特徴とする、
携帯通信装置に組合された体内脂肪検査装置。
【請求項５】
前記体内脂肪検査装置には、被検査者の両手の指で押圧させる、２つの測定キーを有することを特徴とする、請求項１乃至４の何れかに記載の体内脂肪検査装置。
【請求項６】
前記携帯通信装置は、携帯電話、ＰＤＡ、ミニコンピュータ、ノートブック・コンピュータであることを特徴とする、請求項１乃至４の何れかに記載の体内脂肪検査装置。
【請求項７】
前記測定キーが端子状に形成されてあることを特徴とする、請求項５に記載の体内脂肪検査装置。
【請求項８】
前記携帯通信装置内には、体重、基礎代謝率、摂取した飲食のカロリー、運動による消費カロリー、及びその他の身体や体重の保持に関する情報を含んだソフトウェアを組み込んであることを特徴とする、請求項６に記載の体内脂肪検査装置。
【請求項９】
前記無線送信方式は、赤外線、ブルートゥース（登録商標）、８０２．１１、或いはその他の無線技術を駆使した方式であることを特徴とする、請求項４に記載の体内脂肪検査装置。
【考案の詳細な説明】
【技術分野】
【０００１】
本考案は体内脂肪検査装置（モジュール）に関するもので、特に各種の携帯通信装置に組み合された体内脂肪検査装置に関するものである。体内脂肪検査装置を組み込むことにより該装置の使用者はいつ、如何なる場所においても、自分の体内の脂肪状態を把握でき、身体の健康の維持に寄与し、また携帯通信装置の付加価値も向上するのである。
【背景技術】
【０００２】
科学技術の進歩に伴い、携帯通信装置の発展も目覚しいものがある。その機能は単一の簡易機能から、複雑の多機能に移り、インターネットと連結、ディジタル摂影、レコーディングなど幾多の応用分野で活用されている。今や携帯電話は殆ど１人１機所有するまでに至った。携帯通信装置の応用をさらに拡大することは今後の重要な課題となる。目前既に人体の体温、血圧、脈拍、血糖、血中酸素の体表計測が広く実用化しているが、さらに色々な医療機器、例えば携帯生理機能感測や監視機器の機能を多様化して、センサーから得たデータを携帯通信装置に処理させ、これを表示、アラーミング、記憶、伝送させることができたら、如何ばかりが人類に貢献できるであらうか、計り知れないものがある。
【０００３】
バイオチップ（ｂｉｏｃｈｉｐ）で人体生理機能を探知し、人体表面に接触、または皮下に植入されたバイオチップで人体の生理変化や疾病の有無を探知することは、現在の生化学技術の進歩から見て難しいものではない。さらにマイクロ電子技術やナノ技術を駆使して、人体表面に接触、皮下に植入、乃至消化器系統に呑み込んだバイオチップと協力して、一層精密に各種人体機能のデータを探索することも可能であらう。
【０００４】
このような人体機能検査装置を携帯通信装置と組合わせて生命の各種情報を収集して医療保健の目的を達成することは、今後の重要な理想である。
【０００５】
本願の考案者は過去台湾で、上述の装置に関した幾つかの実用新案特許を得てきた。例を挙げれば１．「携帯電話と組合わせた生理機能探知装置」（台湾００４５４０２号）２．「生命感測儀器と結合したパーソナル・ディジタル・アシスタントの伝送インターフェース」（台湾００４６２０００号）。３．「携帯電話と結合した人体機能信号処理装置」（台湾２００４１２７７７号）。４．「イヤホン式生命機能探知装置」（台湾Ｍ２４１００２号）。５．「生命情報無線伝送系統」（台湾１２４９１２２号）。６．「耳温感知器を含んだ携帯通信装置」（台湾Ｍ２９２２２１号）。７．「携帯通信装置と結合した耳温感知器」（台湾Ｍ２９６０２８号）。８．「携帯通信器に装置された人体機能検知装置」（台湾Ｍ３０９２９９号）などがある。
【０００６】
上述の技術に、なお改善の余知がある事実に鑑み、本願の考案者は一層実用に適し人類の健康に寄与する装置を開発すべく、長年苦心研鑚の結果、遂に本願の携帯通信装置に組合された、体内脂肪検査装置の開発の成功を見るに至ったのである。
【考案の開示】
【考案が解決しようとする課題】
【０００７】
本考案の目的は、携帯通信装置に組合された体内脂肪検査装置を提供して、体内脂肪の信号を感知、または監視し、携帯通信装置で表示、記憶し、警報を発し、または遠隔の地に伝送し、使用者が随時に自分の肥満係数信号を受信して、健康状態を把握できるようにする所にある。
【０００８】
また、本考案の目的は、携帯通信装置に組合された体内脂肪検査装置を提供して、携帯通信装置に内蔵されたデータ・バンクから使用者に各種飲食の情報を提供し、その飲食習慣を改善し、以って、携帯通信装置の付加価値を向上する所にある。
【０００９】
また、本考案の目的は、携帯通信装置に組合された体内脂肪検査装置を提供して、所要のデータを随時探知、または監視でき、その設備コストは安く、操作は簡単、かつ便利、サイズが小さく、携帯を容易にして、適用範囲を広くする所にある。
【課題を解決するための手段】
【００１０】
上述の目的を達成するため、本考案の提供した携帯通信装置に組合された体内脂肪検査装置は、主に携帯通信装置と体内脂肪検査装置とからなっている。体内脂肪検査装置と携帯通信装置との組合わせは、前者が後者の中に内蔵、外部からの挿し込み、伝送線で連結、または短距離無線送信などの方式を取り、随時に被検査者の体内脂肪信号を監視又は、探知し、携帯通信装置に表示し、記憶し、警報を発したり、さらに遠隔の地にも送信できるようにした。
【００１１】
すなわち、本願の第１考案は、体内脂肪の検査装置であって、水には電導性があるが、脂肪には電導性がないという、生化学における電気抵抗原理を利用し、人体に微弱な電流を通して両手の間の抵抗値を測定し、還元分析して人体内の脂肪含有率を算定することを特徴とする、携帯通信装置に組合された体内脂肪検査装置であることを要旨とする。
【００１２】
また、本願の第２考案は、体内脂肪の検査装置であって、水には電導性があるが、脂肪には電導性がないという、生化学における電気抵抗原理を利用し、人体に微弱な電流を通して両手の間の抵抗値を測定し、還元分析して人体内の脂肪含有率を算定する、体内脂肪検査装置を携帯通信装置に外部から挿しこむことを特徴とする、携帯通信装置に組合された体内脂肪検査装置であることを要旨とする。
【００１３】
また、本願の第３考案は、体内脂肪の検査装置であって、水には電導性があるが、脂肪には電導性がないという、生化学における電気抵抗原理を利用し、人体に微弱な電流を通して両手の間の抵抗値を測定し、還元分析して人体内の脂肪含有率を算定する、体内脂肪検査装置を伝送線で携帯通信装置に接続することを特徴とする、携帯通信装置に組合された体内脂肪検査装置であることを要旨とする。
【００１４】
また、本願の第４考案は、体内脂肪の検査装置であって、水には電導性があるが、脂肪には電導性がないという、生化学における電気抵抗原理を利用し、人体に微弱な電流を通して両手の間の抵抗値を測定し、還元分析して人体内の脂肪含有率を算定する、体内脂肪検査装置を無線送信方式で携帯通信装置に連結することを特徴とする、携帯通信装置に組合された体内脂肪検査装置であることを要旨とする。
【００１５】
また、本願の第５考案は、前記体内脂肪検査装置には、被検査者の両手の指で押圧させる、２つの測定キーを有することを特徴とする、本願の第１乃至第４考案の何れかに記載の体内脂肪検査装置であることを要旨とする。
【００１６】
また、本願の第６考案は、前記携帯通信装置は、携帯電話、ＰＤＡ、ミニコンピュータ、ノートブック・コンピュータであることを特徴とする、本願の第１乃至第４考案の何れかに記載の体内脂肪検査装置であることを要旨とする。
【００１７】
また、本願の第７考案は、前記測定キーが端子状に形成されてあることを特徴とする、本願の第５考案に記載の体内脂肪検査装置であることを要旨とする。
【００１８】
また、本願の第８考案は、前記携帯通信装置内には、体重、基礎代謝率、摂取した飲食のカロリー、運動による消費カロリー、及びその他の身体や体重の保持に関する情報を含んだソフトウェアを組み込んであることを特徴とする、本願の第６考案に記載の体内脂肪検査装置であることを要旨とする。
【００１９】
また、本願の第９考案は、前記無線送信方式は、赤外線、ブルートゥース（登録商標）、８０２．１１、或いはその他の無線技術を駆使した方式であることを特徴とする、本願の第４考案に記載の体内脂肪検査装置であることを要旨とする。
【考案の効果】
【００２０】
本考案が提供する、携帯通信装置に組合された体内脂肪検査装置には、従来のこの種類の装置と比べて、下記の優れた点がある。
【００２１】
（１）体内脂肪検査装置が装置化され、携帯通信装置に組合せされているので全体としての装置の使用が便利有効となる。
【００２２】
（２）本装置は体内脂肪データの提供のほか、携帯通信装置内に内蔵されたデータ・バンクを利用して、使用者に各種飲食に関する情報も提供できるので、使用者の健康管理方面に積極的な意義があり、また、携帯通信装置の付加価値も向上する。
【００２３】
（３）本装置は所要のデータを随時監視、または探知でき、その設備コストは安く、操作は簡単、かつ便利、サイズが小さく、携帯が容易で、遠隔地に送信でき、その適用範囲は広い。
【００２４】
（４）本考案の体内脂肪検査装置の生産は専門の医療機器製造業者に任せ、これを電子機器製造業者に提供して、携帯通信装置に組合せればよい。専門業者双方の技術提携により完成すれば、生産効率は向上し、コストは安くなる。
【考案を実施するための最良の形態】
【００２５】
図１は本考案の構成図である。本考案の携帯通信装置に組合された体内脂肪検査装置は、携帯通信装置１とこれに組合された体内脂肪検査装置１１からなっていて、随時に体内脂肪信号２を監視、又は探知し、携帯通信装置１を通してこれを表示、記憶、警報を発し、または遠隔の医療機構３に伝送する。携帯通信装置１は携帯電話、パーソナル・ディジタル・アシスタント（ＰＤＡ）、ミニコンピュータ、ノートブック・コンピュータなどの電子機器である。携帯通信装置１の内部には、体重、基礎代謝率、摂取した飲食のカロリー、運動による消費カロリー、及びその他の身体や体重の保持に関する情報を含んだソフト・ウェアを組み込めるのである。
【００２６】
体内脂肪検査装置１１は水には電導性があるが、脂肪には電導性がないという、生化学における電気抵抗原理を利用し、人体に微弱な電流を通して両手の間の抵抗値を測定し、還元分析して人体内の脂肪含有率を算定するのである。
【００２７】
本考案の装置は上記の機能のほか、さらに前記飲食に関するデータを利用して、健康増進の終極目的を達成するのである。
【００２８】
図２は本考案の第１実施形態図である。本図によれば、体内脂肪検査装置１１は、携帯電話１０に内蔵されていて、使用者（被検査者）が同時に両手４の指４１で測定キー１１１を押圧することにより、携帯電話１０は、体内脂肪検査装置１１が探知した、体内脂肪信号を表示し、記憶し、警報を発し、或いは遠隔地に送信したりするのである。
【００２９】
図３は本考案の第２実施形態図である。本図によれば、体内脂肪検査装置１１は、携帯電話１０に外部から挿しこんでいる。使用者（被検査者）が同時に両手４の指４１で測定キー１１１を押圧することにより、携帯電話１０は、体内脂肪検査装置１１が探知した、体内脂肪信号を表示し、記憶し、警報を発し、或いは遠隔地に送信したりするのである。
【００３０】
図４は本考案の第３実施形態図である。本図によれば、体内脂肪検査装置１１は、携帯電話１０に伝送線１２で接続されている。使用者（被検査者）が同時に両手４の指４１で測定キー１１１を押圧することにより、携帯電話１０は、体内脂肪検査装置１１が探知した、体内脂肪信号を表示し、記憶し、警報を発し、或いは遠隔地に送信したりするのである。
【００３１】
図５は本考案の第４実施形態図である。本図によれば、体内脂肪検査装置１１は、携帯電話１０に無線送信方式（例えば赤外線、ブルートウース、８０２，１１など）で連絡されている。使用者（被検査者）が同時に両手４の指４１で測定キー１１１を押圧することにより、携帯電話１０は、体内脂肪検査装置１１が探知した、体内脂肪信号を表示し、記憶し、警報を発し、或いは遠隔地に送信したりするのである。
【００３２】
図６は本考案の第５実施形態図である。本図によれば、この実施例では測定キー１１１は測定端子１１２二置き換えられ、使用者（被検査者）が同時に両手４の指４１で測定端子１１２を押圧することにより、携帯電話１０は、体内脂肪検査装置１１を作動して、体内脂肪の状態を監視、探知して信号を発するのである。
【００３３】
以上、詳細な説明は、本考案の実行可能な実施例についての具体的説明である。但し、これらの実施例は本考案の請求範囲を制限するものではなく、本考案の技術精神を逸脱せずなされた同等効果の実施または変更は、全て本考案の実用新案登録請求の範囲内に含まれるものとする。
【図面の簡単な説明】
【００３４】
【図１】本考案による、携帯通信装置に組合された体内脂肪検査装置の構成を示すブロック図である。
【図２】本考案による携帯通信装置に組合された体内脂肪検査装置の第１実施形態図である。
【図３】本考案による携帯通信装置に組合された体内脂肪検査装置の第２実施形態図である。
【図４】本考案による携帯通信装置に組合された体内脂肪検査装置の第３実施形態図である。
【図５】本考案による携帯通信装置に組合された体内脂肪検査装置の第４実施形態図である。
【図６】本考案による携帯通信装置に組合された体内脂肪検査装置の第５実施形態図である。
【符号の説明】
【００３５】
１      携帯通信装置
１０    携帯電話
１１    体内脂肪検査装置
１２    伝送線
１１１  測定キー
１１２  測定端子
２      体内脂肪信号
３      遠隔地の医療機構
４      手
４１    手の指
【図１】
0003135336.tif 000003
【図２】
0003135336.tif 000004
【図３】
0003135336.tif 000005
【図４】
0003135336.tif 000006
【図５】
0003135336.tif 000007
【図６】
0003135336.tif 000008